(57)【要約】      （修正有）【課題】小さい労力で効果的に推進力が得られる乗用遊戯具を提供する。【解決手段】遊戯者が座る座面１１ａが設けられた乗用体１１の前部に、駆動輪支持具１４を介して支持された駆動前輪１２Ｒ，１２Ｌと、乗用体１１の後部に所定間隔をあけて配置された左右一対の従動後輪１３と、遊戯者が駆動前輪１２Ｒ，１２Ｌを操作して乗用体１１に推進力を発生させる推進機構１５とを具備する。駆動輪支持具１４は、揺動軸心１６を中心に揺動自在に支持された駆動輪支持フレーム１７と、駆動輪支持フレーム１７の後方位置に配置された左右一対の駆動前輪１２Ｒ，１２Ｌとを有し、推進機構１５は、駆動輪支持フレーム１７から前方に伸びる操作ロッド１８を介して、駆動輪支持フレーム１７を左右に揺動する揺動操作具１９を有し、使用状態で揺動軸心１６が上部前方に前傾される。【選択図】図１
0003176947.tif 000002
【実用新案登録請求の範囲】
【請求項１】
遊戯者が座る座面が設けられた乗用体と、この乗用体の前部に駆動輪支持具を介して支持された駆動用前輪と、乗用体の後部に所定間隔をあけて配置された左右一対の従動用後輪と、遊戯者が前記駆動用前輪を操作して乗用体に推進力を発生させる推進機構とを具備した乗用遊戯具であって、
前記駆動輪支持具は、乗用体の前部で縦方向の揺動軸心を中心に揺動自在に支持された駆動輪支持フレームと、この駆動輪支持フレームで前記揺動軸心の後方位置に横軸心回りに回転自在に支持された左右一対の前記駆動前輪とを有し、
前記推進機構は、前記駆動輪支持フレームから前方に伸びる操作ロッドと、この操作ロッドの遊端部に設けられて遊戯者により前記駆動輪支持フレームを左右に揺動する揺動操作具とを有し、
使用状態で前記揺動軸心が上部前方に前傾される
ことを特徴とする乗用遊戯具。
【請求項２】
揺動操作具は、操作ロッドの先端部から左右両側に伸び両足をそれぞれ載せて前方に押し出し可能な足置き具付の操作バーと、この操作バーの両端側にそれぞれ連結されて両手で前記操作ロッドを揺動させる引き込み具とを有する
ことを特徴とする請求項１記載の乗用遊戯具。
【請求項３】
揺動操作具は、操作ロッドの先端部から左右両側後方に向かって伸び、両足が載置可能で、かつ両手でそれぞれ両端部を把持して前記操作ロッドを揺動可能な手動ハンドルを有する
ことを特徴とする請求項１記載の乗用遊戯具。
【請求項４】
従動後輪は、縦軸心周りにそれぞれ回転自在に配置されたキャスタフレームに、前記縦軸心に直交する横軸心周りに車輪が回転自在に支持された首振り式の後部キャスタによりそれぞれ構成された
ことを特徴とする請求項１乃至３の何れかに記載の乗用遊戯具。
【考案の詳細な説明】
【技術分野】
【０００１】
本考案は、推進力を発生させることができる乗用遊戯具に関する。
【背景技術】
【０００２】
たとえば特許文献１には、座面を有するボードに、センタリング用ばねが連結された首振り式の前部キャスタを設けるとともに、ボードの後部にセンタリング用ばねが連結された左右一対の首振り式の後部キャスタを設けた手動スケボーが開示されている。この手動スケボーは使用に際して、ボードの前部で左右両側にそれぞれ連結した左右の駆動ロープを交互に引っ張ることにより、ボードを左右に揺動させ、３つのキャスタにより推進力を発生させるものである。
【先行技術文献】
【特許文献】
【０００３】
【特許文献１】実開平６−５２８８０号公報
【考案の概要】
【考案が解決しようとする課題】
【０００４】
しかしながら、上記構成では、両腕で左右の駆動ロープを交互に引っ張って、遊戯者が乗るボード全体を揺動させるために、かなり大きい労力が必要で、遊戯者が直ぐに疲れてしまい、また労力ほど推進力が得られないという問題があった。
【０００５】
本考案は上記問題点を解決して、小さい労力で効果的に推進力が得ることができる乗用遊戯具を提供することを目的とする。
【課題を解決するための手段】
【０００６】
請求項１記載の考案は、
遊戯者が座る座面が設けられた乗用体と、この乗用体の前部に駆動輪支持具を介して支持された駆動前輪と、乗用体の後部に所定間隔をあけて配置された左右一対の従動後輪と、遊戯者が前記駆動前輪を操作して乗用体に推進力を発生させる推進機構とを具備した乗用遊戯具であって、
前記駆動輪支持具は、乗用体の前部で縦方向の揺動軸心を中心に揺動自在に支持された駆動輪支持フレームと、この駆動輪支持フレームで前記揺動軸心の後方位置に横軸心回りに回転自在に支持された左右一対の前記駆動前輪とを有し、
前記推進機構は、前記駆動輪支持フレームから前方に伸びる操作ロッドと、この操作ロッドの遊端部に設けられて遊戯者により前記駆動輪支持フレームを左右に揺動する揺動操作具とを有し、
使用状態で前記揺動軸心が上部前方に前傾されるものである。
【０００７】
請求項２記載の考案は、請求項１記載の構成において、
揺動操作具は、操作ロッドの先端部から左右両側に伸び両足をそれぞれ載せて前方に押し出し可能な足置き具付の操作バーと、この操作バーの両端側にそれぞれ連結されて両手で前記操作ロッドを揺動させる引き込み具とを有するものである。
【０００８】
請求項３記載の考案は、請求項１記載の構成において、
揺動操作具は、操作ロッドの先端部から左右両側後方に向かって伸び、両足が載置可能で、かつ両手でそれぞれ両端部を把持して前記操作ロッドを揺動可能な手動ハンドルを有するものである。
【０００９】
請求項４記載の考案は、請求項１乃至３の何れかに記載の構成において、
従動後輪は、縦軸心周りにそれぞれ回転自在に配置されたキャスタフレームに、前記縦軸心に直交する横軸心周りに車輪が回転自在に支持された首振り式の後部キャスタによりそれぞれ構成されたものである。
【考案の効果】
【００１０】
請求項１記載の考案によれば、座面に座った遊戯者が、揺動操作具を操作して操作ロッドにより駆動輪支持フレームを直接、揺動軸心を中心に左右方向に交互に揺動させ、左右一対の駆動前輪をそれぞれ前後に揺動させる。この時、揺動軸心が前傾されることにより、遊戯者の体重と乗用体の重量による負荷が、前方に位置する一方の駆動前輪と、左右一対の従動後輪の３点で支持されて、前方に位置する一方の駆動前輪の負荷が、後方に位置する駆動前輪に比較して大きくなり、前方に位置する駆動前輪と床面との摩擦抵抗が大きくなる。これにより、駆動輪支持フレームを反対側に揺動させると、前方に位置する駆動前輪を中心として駆動輪支持フレームが揺動される。これに追従して乗用体が揺動され、これにより、後方に位置する他方の駆動前輪が揺動方向前方に移動され、またこれに追従して乗用体が揺動される。これを繰り返すことにより、ボード全体を揺動させる従来の乗用遊戯具に比較して、小さい労力で乗用体を推進させることができ、効果的に推進力を得ることができる。
【００１１】
請求項２記載の考案によれば、左右一方の手で引き込み具を介して操作バーの左右一方を後方に引き込み操作ロッドを揺動させると同時に、操作バーに乗せた左右他方の足で操作バーを押し出し、操作ロッドの揺動を補助することができる。したがって、両手と両足の力を有効に利用して、揺動軸心を中心に駆動輪支持フレームを揺動させて、小さい労力で左右の駆動輪を前後に揺動させ、これを繰り返すことで、小さい労力で乗用体を容易に前進させることができる。
【００１２】
請求項３記載の考案によれば、手動ハンドルを両手で掴み、一方の手で手動ハンドルの左右端の一方を後方に引き込み操作ロッドを揺動させると同時に、手動ハンドルに載せた他方の足で手動ハンドルを押し出し、操作ロッドの揺動を補助することができる。このように、両手と両足とにより交互に手動ハンドルを前後に押し引きして、操作ロッドを、揺動軸心を中心に揺動させることにより、駆動輪支持フレームを介して駆動輪を前後に揺動させ、小さい労力で駆動輪を前後に移動させて、乗用体を前進させることができる。
【００１３】
請求項４記載の考案によれば、後輪を首振り式の後部キャスタで構成することにより、駆動輪支持フレームの揺動に追従して、乗用体を容易かつスムーズに追従揺動させることができ、従動後輪と床面との摩擦抵抗を軽減して、走行体を効果的に推進させることができる。
【図面の簡単な説明】
【００１４】
【図１】（ａ）（ｂ）は本考案に係る乗用遊戯具の実施例１を示し、（ａ）は底面図、（ｂ）は引き込みロープを省略した側面図である。
【図２】乗用遊戯具の斜視図である。
【図３】（ａ）〜（ｃ）は押し引きロープの固定具を示し、（ａ）は開放状態の平面図、（ｂ）は結合状態の側面図、（ｃ）は他の固定状態を示す開放状態の平面図である。
【図４】遊戯者の乗車状態を示す側面図である。
【図５】推進動作を説明する平面図である。
【図６】実施例１の変形例を示す乗用遊戯具の平面図である。
【図７】（ａ）（ｂ）は本考案に係る乗用遊戯具の実施例２を示し、（ａ）は平面図、（ｂ）は側面図である。
【考案を実施するための形態】
【００１５】
［実施例１］
以下、本考案の実施例１を図１〜図５に基づいて説明する。
この乗用遊戯具は、図１、図２、図４に示すように、幼児などの遊戯者Ｃが乗用体１１に乗って操作することにより推進力を発生させて乗用体１１を前進させる推進機構１５を備えたものである。
【００１６】
すなわち、この乗用遊戯具は、上面に遊戯者が座る座面１１ａが設けられた平面視略二等辺三角形状の乗用体１１に、前部に駆動輪支持具１４を介して支持された左右一対の駆動前輪１２Ｒ，１２Ｌと、乗用体１１の後部に所定間隔をあけて配置された左右一対の従動後輪１３，１３とを具備している。１１ｂは、乗用体１１の後部に形成されて遊戯者Ｃの尻部を保持するとともに、乗用遊戯具を持ち歩くための吊手である。
【００１７】
駆動輪支持具１４は、乗用体１１の中心線Ｏ上の前部で、縦方向（中心線Ｏに垂直な方向）の揺動軸心（揺動軸）１６を中心に揺動自在に支持された駆動輪支持フレーム１７を備え、この駆動輪支持フレーム１７で揺動軸心１６から所定距離Ｌだけ後方位置に、水平軸（横軸心）回りに駆動前輪が１２Ｒ，１２Ｌが所定間隔Ｗをあけて回転自在に支持されている。
【００１８】
この駆動輪支持フレーム１７には、中心線Ｏに沿って形成された装着穴１７ａに固定ビス１７ｂを介して挿通固定されて前方に伸びる操作ロッド１８が取り付けられている。この操作ロッド１８の遊端部に，遊戯者により前記駆動輪支持フレーム１７を左右に揺動する揺動操作具１９が設けられて推進機構１５を駆動する。また操作ロッド１８には、たとえば駆動輪支持フレーム１７の装着穴１７ａとの固定位置を、固定ビス１７ｂなどの固定具により、遊戯者の身長にあわせて伸縮調整可能な長さ調整機構が設けられている。
【００１９】
この揺動操作具１９は、操作ロッド１８の先端部から左右両側に伸びる操作バー２１が取り付けられ、操作ロッド１８の両側に、左右の足をそれぞれ載せる足置き板（足置き具）２２Ｒ，２２Ｌが取り付けられている。さらに操作バー２１の両端部に、引き込みロープ（引き込み具）２３Ｒ，２３Ｌをそれぞれ抜け止めする掛止具２１ａが取り付けられており、揺動操作具１９は、操作バー２１、足置き板２２Ｒ，２２Ｌおよび引き込みロープ２３Ｒ，２３Ｌにより構成されている。
【００２０】
この引き込みロープ２３Ｒ，２３Ｌには、遊戯者の身体に合わせて伸縮調整可能な調整固定具２４を有している。すなわち、押し引きロープ２３Ｒ，２３Ｌを、その基端側を折り返して連結輪状部２３ａを形成して調整固定具２４で結束固定し、連結輪状部２３ａを操作バーの先端部に嵌めて、掛止具２１ａにより抜け止めする。また先端側を折り返して作動輪状部２３ｂを形成して筒状の把持具２３ｃを嵌合し、調整固定具２４で結束固定する。これら調整固定具２４は、図３（ａ）（ｂ）に示すように、押し引きロープ２３Ｒ，２３Ｌのロープ本体２３ｄに一定間隔ごとに球状部（たとえば結び目や装着球体）２３ｅが設けられており、たとえばヒンジ部を介して開閉自在な一対の保持ケース２４ａ，２４ｂを、球状部２３ｅと球状部２３ｅの間の２本のロープ本体２３ｄに嵌め合わして抜け止めする。保持ケース２４ａ，２４ｂには、ロープ本体２３ｄをそれぞれ嵌合する溝部２４ｃ，２４ｄと、保持ケース２４ａ，２４ｂを閉じた状態で、離間可能に固定する固定爪２４ｅおよび爪受け部２４ｆが形成されている。
【００２１】
したがって、押し引きロープ２３Ｒ，２３Ｌの取り付けに際し、固定具２４Ａにより連結輪状部２３ａを形成して操作ロッド１８の端部に装着し、固定具２４Ｂを開放した状態で遊戯者にあわせて押し引きロープ２３Ｒ，２３Ｌの長さを調整し、基端側と先端側の球状部２３ｅ間のロープ本体２３ｄを固定具２４Ｂの溝部２４ｃ，２４ｄにそれぞれ嵌め込み、保持ケース２４ａ，２４ｂを閉じて固定爪２４ｅを爪受け部２４ｆに係合させればよい。
【００２２】
なお、図３（ｃ）に示すように、２本のロープ本体２３ｄの球状部２３ｅを保持ケース２４ａ，２４ｂで挟み込むようにしてもよい。
前記従動後輪１３，１３は、それぞれ中心線Ｏに直交する縦軸（縦軸心）１３ａを中心にそれぞれ回転自在に配置されたキャスタフレーム１３ｂを備え、このキャスタフレーム１３ｂのホーク部に、前記縦軸１３ａに直交する水平軸（横軸心）周りに車輪１３ｃが回転自在に支持された首振り式の後部キャスタにより構成されている。したがって、これら首振り式の後部キャスタにより、前記推進時の乗用体１１の揺動にスムーズかつ容易に追従することができ、推進力を抑制する摩擦抵抗を軽減することができる。
【００２３】
推進機構１５は、図１（ｂ）に示すように、乗用体１１において、中心線Ｏに対して従動後輪１３，１３が駆動前輪１２Ｒ，１２Ｌより下方に位置する高低差により、床面に載置した時に、中心線Ｏが前部下方に前傾角θで傾斜する前傾姿勢となり、揺動軸心１６が前傾角θだけ上部前方に傾斜することになる。これにより、駆動輪支持フレーム１７の操作ロッド１８側をたとえば右方に揺動した時に、前方に位置する左方の駆動前輪１２Ｌが床面に押し付けられ、後方に位置する右側の駆動前輪１２Ｒが僅かに浮き上がる。そして、遊戯者の体重と乗用体１１の重量が、主に前方に位置する左方の駆動前輪１２Ｌと左右の従動後輪１３，１３とにより支持され、後方に位置する右側の駆動前輪１２Ｒの負荷が小さくなる。これにより、後方に位置する右方の駆動前輪１２Ｒの床面との摩擦抵抗が、前方に位置する左方の駆動前輪１２Ｌに比較して小さく、この状態から駆動輪支持フレーム１７を左方向に揺動させると、図５に示すように、左方の駆動前輪１２Ｒを回転中心として駆動輪支持フレーム１７が左方に揺動し右方の駆動前輪１２Ｒが前方に旋回移動する。この推進機構１５により前方への推進力が発生し前進する。この時、乗用体１１も従動後輪１３が追従して揺動される。このように、駆動輪支持フレーム１７の左右方向の揺動を交互に繰り返すことにより、前方への推進力が発生して乗用体１１を前進させることができる。
【００２４】
上記構成において、図４に示すように、遊戯者Ｃが乗用体１１の座面１１ａに座り、両足を足置き板２２Ｒ，２２Ｌにそれぞれ載せ、押し引きロープ２３Ｒ，２３Ｌをそれぞれ左右の手で握り、両手と両足により推進機構１５を操作する。図５に示すように、たとえば右手で右の押し引きロープ２３Ｒを引き込むとともに、左足で足置き板２２Ｌを介して操作バー２１の左端部を前方に押し出し、操作ロッド１８を介して駆動輪支持フレーム１７を平面視で時計周りに揺動させる。次は反対に、左手で左の押し引きロープ２３Ｌを引き込むとともに、右足で足置き板２２Ｒを介して操作バー２１の右端部を前方に押し出し、操作ロッド１８を介して駆動輪支持フレーム１７を平面視で反時計周りに揺動させる。これを繰り返すことにより、図５に示すように、左右の駆動前輪１２Ｒ，１２Ｌは、交互に円弧状の軌跡を描いて前進する。
【００２５】
上記実施例１によれば、座面１１ａに座った遊戯者Ｃが、左右一方の手で引き込みロープ２３Ｒ，２３Ｌを介して操作バー２１の左右一方を後方に引き込むと同時に、操作バー２１に乗せた他方の足で操作バー２１を押し出し、左右一対の駆動前輪１２Ｒ，１２Ｌを交互に前後方向に揺動させることにより、前方に位置する一方の駆動前輪１２Ｒ，１２Ｌを中心として、後方に位置する他方の駆動前輪１２Ｒ，１２Ｌを揺動させて前方に移動させる。これを繰り返すことにより、乗用体１１を前方に推進させることができ、効果的に推進力を得ることができる。したがって、従来の乗用遊戯具に比較して、小さい労力で効果的に推進力を得ることができる。
【００２６】
なお、図６に示すように、引き込みロープ２３Ｒ，２３Ｌに替えて、ヌンチャク状の操作ロッド３１Ｒ，３１Ｌを、チェーン３２，３２などの連結具を介して操作バー２１の両端部にそれぞれ連結しても、同様の作用効果を奏することができる。
【００２７】
［実施例２］
本考案に係る乗用遊戯具の実施例２を、図７を参照して説明する。この実施例２は、揺動操作具１９を手動ハンドル４１に変更したものである。なお、実施例１と同一部材には同一符号を付して説明を省略する。
【００２８】
手動ハンドル４１は、操作ロッド１８の先端部から左右両側に伸びる足置き部４１ａと、これら足置き部４１ａから湾曲して後方に伸びる湾曲部４１ｂと、湾曲部４１ｂの先端に設けられた把持部４１ｃとを具備している。
【００２９】
上記構成によれば、手動ハンドル４１の把持部４１ｃを両手で掴み、一方の手、たとえば左手で手動ハンドル４１の左端を後方に引き込むと同時に、手動ハンドル４１の足置き部４１ａに載せた右足で右側の足置き部４１ａを前方に押し出して、操作ロッド１８の揺動を補助する。このように両手と両足とにより手動ハンドル４１を操作して交互に揺動させ、操作ロッド１８を介して駆動輪支持フレーム１７を、揺動軸心１６を中心に左右に揺動させることにより、駆動前輪１２Ｒ，１２Ｌを前後に旋回移動させて、小さい労力で乗用体１１を前進させることができる。
【符号の説明】
【００３０】
Ｃ    遊戯者
Ｏ    中心線
１１    乗用体
１１ａ  座面
１２Ｒ，１２Ｌ  駆動前輪
１３    従動後輪
１４    駆動輪支持具
１６    揺動軸心
１７    駆動輪支持フレーム
１８    操作ロッド
１９    揺動操作具
２１    操作バー
２２Ｒ，２２Ｌ  足置き板
２３Ｒ，２３Ｌ  引き込みロープ
２４    調整固定具
３１Ｒ，３１Ｌ  操作ロッド
３２    チェーン
４１    手動ハンドル
【図１】
0003176947.tif 000003
【図２】
0003176947.tif 000004
【図３】
0003176947.tif 000005
【図４】
0003176947.tif 000006
【図５】
0003176947.tif 000007
【図６】
0003176947.tif 000008
【図７】
0003176947.tif 000009